(57)【要約】【課題】小径で細長い照明具を、棚板の前部近傍の少スペースに、目立せずに見栄え良く配置して、棚板上の商品を良好に照明することができる陳列棚用照明具を提供する。【解決手段】細長い棒状のケース内に配設されたＬＥＤ灯具２のＬＥＤ３を発光させて照明する照明具１と、照明具１を棚受けに対し取り付ける１対の取付部材１０と、を備える。照明具１は、帯状の回路基板４上に複数のＬＥＤ３と電源回路を所定の間隔をおいて１列に実装してなるＬＥＤ回路基板を、断面Ｃ型のチャンネル材状に形成されたケース内に、ケースの開口部からＬＥＤを露出させた状態で挿入し、開口部に透明板を嵌着すると共にケースの両端部にキャップを嵌着して構成される。照明具１を保持した取付部材１０は、棚受け嵌合部１１を棚受けの上縁部に対し上から被せるように嵌合させて取り付けられる。【選択図】図１
2010167210.tif 000002
【特許請求の範囲】
【請求項１】
商品陳列棚の棚受けに支持された棚板の前部に配設される陳列棚用照明具において、
細長い棒状のケース内に配設されたＬＥＤを発光させて照明する照明具と、
該照明具を挟持する挟持部を有すると共に、該棚受けの一部に嵌合される棚受け嵌合部を有し、該照明具を該棚受けに対し取り付ける１対の取付部材と、を備え、
該照明具は、帯状の回路基板上に複数のＬＥＤと電源回路を所定の間隔をおいて１列に実装してなるＬＥＤ回路基板を、断面Ｃ型のチャンネル材状に形成されたケース内に、該ケースの開口部から該ＬＥＤを露出させた状態で挿入し、該開口部に透明板を嵌着すると共に該ケースの両端部にキャップを嵌着して構成され、該取付部材の該挟持部には、該照明具の該ケースの両側部を両側から挟持する１対の挟持片が設けられ、該照明具を保持した該取付部材は、該棚受け嵌合部を該棚受けの上縁部に対し上から被せるように嵌合させて取り付けられることを特徴とする陳列棚用照明具。
【請求項２】
前記取付部材の挟持部には、１対の挟持片が上記ケースの長手方向に沿って且つ該ケースの幅間隔で設けられ、該挟持部の端部に前記棚受け嵌合部が設けられ、該挟持片の内側面には突条が該ケースの長手方向に沿って設けられ、該挟持部は、該照明具の端部を該１対の挟持片により挟むように該ケースの端部に嵌め込まれ、且つ該照明具のケースに設けた係合溝に該突条を嵌合して該照明具を挟持することを特徴とする請求項１記載の陳列棚用照明具。
【請求項３】
前記取付部材の棚受け嵌合部は、アーム状に形成されてアーム状棚受け嵌合部として形成され、該アーム状棚受け嵌合部の先端に前記挟持部が設けられ、該挟持部には１対の挟持片が、前記照明具のケースの外側面を上方から挟持するように形成され、該アーム状棚受け嵌合部には前記棚受けの先端部をその長手方向に沿って挿入させるスリット溝が形成され、該１対の挟持片の内側には複数の突条が該照明具のケースの長手方向に向けて設けられ、該取付部材の挟持部は、該ケースの外側面を該１対の挟持片により挟み、且つ該ケースに設けた複数の係合溝に該突条を嵌合して該照明具を挟持することを特徴とする請求項１記載の陳列棚用照明具。
【請求項４】
前記照明具のケースにおける外側面の横断面形状が円弧状に形成される一方、上記取付部材の挟持部における内側面の横断面形状が円弧状に形成され、該挟持部の挟持片の内側面には複数の突条が該ケースの長手方向に沿って設けられ、該ケースの外側面に複数の係合溝が該突条に係合可能に設けられたことを特徴とする請求項２または３記載の陳列棚用照明具。
【発明の詳細な説明】
【技術分野】
【０００１】
本発明は、商品陳列棚に取り付けられ、陳列された商品を照明する陳列棚用照明具に関する。
【背景技術】
【０００２】
スーパーマーケット、ホームセンターなどで使用される商品陳列棚には、多数の棚板が設けられ、各棚板の前部に、棚板に陳列される商品を照明するために、照明器具が取り付けられる場合がある。この種の陳列棚用照明具として、従来、蛍光灯が使用され、棚板の前縁部に蛍光灯を下向きに取り付け、下側の棚板に陳列された商品を、蛍光灯式の照明具により照明するようにしている（例えば下記特許文献１を参照）。
【先行技術文献】
【特許文献】
【０００３】
【特許文献１】特開２００１−２９１８９号公報
【発明の概要】
【発明が解決しようとする課題】
【０００４】
しかし、蛍光灯式の照明具は、規格化されて長さが予め決められた蛍光灯を使用するため、任意の横幅を有する棚板の全体を均一に照明するために、照明具を棚板の前縁部の全横幅にわたるように装着しようとした場合、棚板の横幅に対し照明具の長さが短く或いは長くなり、照明具を使用可能な横幅を有する棚板が制限される問題があった。
【０００５】
また、蛍光灯式の照明具は、大きく重い安定器が必要となるため、棚板の裏側などの安定器用のケースを取り付け、そのケース内に安定器を収納することになる。このため、安定器用のケースやそれを取り付けるためのスペースが必要となり、汎用的な商品陳列棚の棚板に、蛍光灯式の照明具を簡単に取り付けることは難しいという課題があった。
【０００６】
本発明は、上記の点に鑑みなされたもので、小径で細長い照明具を棚板の前部近傍の少スペースに簡単に取り付けることができ、照明具を目立せずに見栄え良く配置して、棚板上の商品を良好に照明することができる陳列棚用照明具を提供することを目的とする。
【課題を解決するための手段】
【０００７】
上記目的を達成するために、本発明の請求項１の陳列棚用照明具は、
商品陳列棚の棚受けに支持された棚板の前部に配設される陳列棚用照明具において、
細長い棒状のケース内に配設されたＬＥＤを発光させて照明する照明具と、
該照明具を挟持する挟持部を有すると共に、該棚受けの一部に嵌合される棚受け嵌合部を有し、該照明具を該棚受けに対し取り付ける１対の取付部材と、を備え、
該照明具は、帯状の回路基板上に複数のＬＥＤと電源回路を所定の間隔をおいて１列に実装してなるＬＥＤ回路基板を、断面Ｃ型のチャンネル材状に形成されたケース内に、該ケースの開口部から該ＬＥＤを露出させた状態で挿入し、該開口部に透明板を嵌着すると共に該ケースの両端部にキャップを嵌着して構成され、該取付部材の該挟持部には、該照明具の該ケースの両側部を両側から挟持する１対の挟持片が設けられ、該照明具を保持した該取付部材は、該棚受け嵌合部を該棚受けの上縁部に対し上から被せるように嵌合させて取り付けられることを特徴とする。
【０００８】
この発明によれば、帯状の回路基板にＬＥＤと電源回路を実装してなる照明具は、非常に細く且つ任意の長さに形成することができる。また、蛍光灯のように安定器を収納するケースは不要となり、薄い棚板の前部に細い照明具を一体化するように配置し、棚板上の商品への視線を遮ることなく、すっきりした状態で照明することができる。また、ＬＥＤを使用するため、他の照明器具に比して、消費電力は少なく、長寿命での使用が可能となる。
【０００９】
請求項２の発明は、上記請求項１の陳列棚用照明具において、上記取付部材の挟持部には、１対の挟持片が上記ケースの長手方向に沿って且つ該ケースの幅間隔で設けられ、該挟持部の端部に前記棚受け嵌合部が設けられ、該挟持片の内側面には突条が該ケースの長手方向に沿って設けられ、該挟持部は、該照明具の端部を該１対の挟持片により挟むように該ケースの端部に嵌め込まれ、且つ該照明具のケースに設けた係合溝に該突条を嵌合して該照明具を挟持することを特徴とする。
【００１０】
この発明によれば、簡単な構成で小型に形成された取付部材を、照明具の端部に簡単に嵌着することができ、細い照明具の延長線上で照明具の両端部を長手方向に延設した形態で、細い棒状の照明具と共に目立たずに見栄え良く取り付けることができる。
【００１１】
また、請求項３の発明は、上記請求項１の陳列棚用照明具において、上記取付部材の棚受け嵌合部は、アーム状に形成されてアーム状棚受け嵌合部として形成され、該アーム状棚受け嵌合部の先端に前記挟持部が設けられ、該挟持部には１対の挟持片が、前記照明具のケースの外側面を上方から挟持するように形成され、該アーム状棚受け嵌合部には前記棚受けの先端部をその長手方向に沿って挿入させるスリット溝が形成され、該１対の挟持片の内側には複数の突条が該照明具のケースの長手方向に向けて設けられ、該取付部材の挟持部は、該ケースの外側面を該１対の挟持片により挟み、且つ該ケースに設けた複数の係合溝に該突条を嵌合して該照明具を挟持することを特徴とする。
【００１２】
この発明によれば、照明具を保持する１対のアーム型の取付部材は、１対の棚受けに対し、そのアーム状棚受け嵌合部のスリット溝内に、棚受けの先端部を挿入してその先端部に被せるように簡単に取り付けられ、且つ棚板の前縁部より少し前方に照明具を出して取り付けることができる。さらに、取付部材の挟持部は、照明具外側面の任意の位置に挟持することができ、このため、１対の棚受けのピッチ（間隔）が異なる陳列棚に対しても適用可能となり、各種の棚受けピッチの陳列棚に照明具を取り付けることができる。
【００１３】
また、請求項４の発明は、上記請求項２または３に記載の陳列棚用照明具において、上記照明具のケースにおける外側面の横断面形状が円弧状に形成される一方、上記取付部材の挟持部における内側面の横断面形状が円弧状に形成され、該挟持部の挟持片の内側面には複数の突条が該ケースの長手方向に沿って設けられ、該ケースの外側面に複数の係合溝が該突条に係合可能に設けられたことを特徴とする。
【００１４】
この発明によれば、取付部材に対し照明具を、その照明具の軸の回りで所定の角度だけ回動した状態で保持させることでき、これにより、照明具を棚板に対し真下から前方に或いは後方に角度を付けて照明具を取り付けることができる。
【発明の効果】
【００１５】
本発明の陳列棚用照明具によれば、小径で細長い照明具を棚板の前部近傍の少スペースに簡単に取り付けることができ、照明具を目立たせずに見栄え良く配置して、棚板上の商品を良好に照明することができる。
【図面の簡単な説明】
【００１６】
【図１】本発明の一実施形態を示す陳列棚用照明具の斜視図である。
【図２】同陳列棚用照明具を斜め上方から見た斜視図である。
【図３】同陳列棚用照明具の正面図である。
【図４】同陳列棚用照明具の底面図である。
【図５】同陳列棚用照明具の平面図である。
【図６】同陳列棚用照明具の分解斜視図である。
【図７】ＬＥＤ灯具の斜視図である。
【図８】外キャップを外した状態の照明具の斜視図である。
【図９】図７の拡大IX-IX断面図である。
【図１０】（ａ）は図３の拡大Xａ-Xａ断面図、（ｂ）は図３の拡大Xｂ-Xｂ断面図である。
【図１１】外キャップに電源コードを嵌め込んだ状態の部分拡大斜視図である。
【図１２】使用状態を示す左側面図である。
【図１３】使用状態を示す平面図である。
【図１４】取付部材の調整を示す部分拡大斜視図である。
【図１５】他の実施形態の陳列棚用照明具を斜め下方から見た斜視図である。
【図１６】同陳列棚用照明具の斜め上方から見た斜視図である。
【図１７】同陳列棚用照明具の底面図である。
【図１８】同陳列棚用照明具の平面図である。
【図１９】アーム型取付部材の斜視図である。
【図２０】同アーム型取付部材の右側面図（ａ）、底面図（ｂ）、正面図（ｃ）である。
【図２１】アーム型取付部材と照明具の部分拡大断面図である。
【図２２】アーム型取付部材と傾けた照明具の部分拡大断面図である。
【図２３】他の実施形態の使用状態を示す左側面図である。
【発明を実施するための形態】
【００１７】
以下、本発明の一実施形態を図面に基づいて説明する。図１、２は陳列棚用照明具の斜視図を示し、図６はその分解斜視図を示している。この陳列棚用照明具の照明具１は、基本的には、ＬＥＤ灯具２を有した照明具１と、照明具１を陳列棚に取り付けるための１対の取付部材１０とから構成される。
【００１８】
照明具１は、細長い棒状の内ケース５内に、回路基板４にＬＥＤ３を実装したＬＥＤユニットを取り付け、その両端部に内キャップ６を嵌着してなるＬＥＤ灯具２と、ＬＥＤ灯具２の内ケース５の外側に嵌着される外ケース７と、外ケース７の両端部に嵌着される外キャップ８と、を備えている。取付部材１０は、照明具１の両端部に長手方向の外側から挿入され、その挟持部１２により照明具１の端部を挟持するように、且つその長さ位置を調整可能に嵌着される。
【００１９】
ＬＥＤ灯具２は、その内ケース５内にＬＥＤユニットを組み込み、内ケース５の両側に内キャップ６を嵌着して構成される。内ケース５は、横断面を略Ｃ型とする長尺のチャンネル材状に形成され、その内側に、帯状の回路基板４上にＬＥＤ３を実装したＬＥＤユニットが、内ケース５の下側開口部からＬＥＤ３が露出するように組み込まれている。回路基板４上には、複数のＬＥＤ（白色発光ダイオード）３が間隔をおいて１列に配置され、プリント回路と共に基板上に実装されている。
【００２０】
また、回路基板４におけるＬＥＤ３の実装面と反対側の面には、直流変換回路４ａが実装されている。このＬＥＤユニットは、商用電源のＡＣ１００Ｖの交流電源を電源とするため、直流変換回路４ａにより交流を直流に変換（整流）すると共に、電圧を降圧させ、ＬＥＤ駆動用の例えばＤＣ１２Ｖに変換するように構成されている。直流変換回路４ａは非常に小形の抵抗素子、半導体素子などから形成されて回路基板４に実装され、ＬＥＤユニットの幅と厚さは、幅約１５ｍｍ、厚さ約８ｍｍと非常に小型、薄形に形成されている。
【００２１】
また、このようなＬＥＤユニットは、ＬＥＤ３の実装数を変え、帯状の回路基板の長さを変えることにより、任意の長さに簡便に製造することができる。さらに、ＬＥＤ灯具２の内ケース５の内面と回路基板４の表面は、生地色を白色とし、或いは白色塗装を施して、ＬＥＤ３の光が良好に反射され、開口部から照射されるようになっている。
【００２２】
図６に示すように、ＬＥＤ灯具２のＬＥＤユニットに接続される電源線２ａは、一方の内キャップ６に設けた導出孔から引き出され、電源線２ａの先端に３線用のコネクタ２ｂが接続される。コネクタ２ｂの入力側には、図１１に示すように、アースを含む３線の電源コード２ｄ用のコネクタ２ｃが接続され、電源コード２ｄは、照明具１の外キャップ８のコード挟持部８ｂを通して、外部に引き出されることとなる。
【００２３】
ＬＥＤ灯具２の内ケース５の外側に、照明具１の外殻を形成する長尺の外ケース７が被せられる。外ケース７は、図６に示すように、横断面を略Ｃ型としたチャンネル材状に形成され、長手方向に沿って開口部が形成され、その開口部から上記ＬＥＤ３が露出するように、ＬＥＤ灯具２が外ケース７内に、タイトに差し込まれて組み付けられる。コネクタ２ｂもこの外ケース７内に収納され、外ケース７の両端部には、外キャップ８が嵌着される。
【００２４】
図６、１１に示すように、外キャップ８には１対の係止爪８ａが突設され、その係止爪８ａを外ケース７内端部に差し込むだけで、外キャップ８を嵌着できるようになっている。さらに、図１１に示すように、外キャップ８には電源コード２ｄを挟持するためのコード挟持部８ｂが両側に対向して設けられ、電源コード２ｄは、コード挟持部８ｂの内側を通して照明具１から引き出され、外キャップ８を外ケース７の端部に嵌め込むことにより、更にコード挟持部８ｂが電源コード２ｄをきつく挟持する構造となっている。
【００２５】
さらに、外ケース７の外側面（正面と背面）には、図６、１０ａのように、複数の係合溝７ａが長手方向に沿って形成されている。この係合溝７ａは、外ケース７の外側面に複数の突条を、間隔をおいて長手方向に形成することにより、外側面に形成され、これらの突条によって、外ケースの強度を補強する機能も生じさせている。複数の係合溝７ａは、取付部材１０の突条１３がタイトに嵌入可能な形状に形成されている。
【００２６】
図６，８に示すように、取付部材１０の挟持部１２は１対の挟持片１２ａを外ケース７の前後幅の間隔をあけて突設して形成され、照明具１の外キャップ８の外側から、その挟持部１２の内側に外キャップ８及び外ケース７の端部を嵌入して、照明具１の両端部に装着されるようになっている。さらに、挟持片１２ａの内側面に、２本の突条１３が長手方向に沿って且つ間隔をあけて突設されている。
【００２７】
上記のように、取付部材１０を照明具１の両端部に嵌め込む際、突条１３は、照明具１の外ケース７の係合溝７ａにその端部から差し込んで嵌合されるようになっており、取付部材１０の先端部には、棚受け嵌合部１１が、棚受け３１の上縁部に対し上から嵌め込むように、図３の如く、正面視で鉤型に形成されている。
【００２８】
つまり、棚受け３１が棚受け嵌合部１１内に下側から隙間なく嵌入可能に、取付部材１０の棚受け嵌合部１１は形成されている。また、取付部材１０の１対の挟持片１２ａ，１２ａは、その上縁部の一部が、連結部１４によって連結され、１対の挟持片１２ａ，１２ａ間に強力なばね弾性の挟持力が生じるようになっている。
【００２９】
また、取付部材１０と外ケース７間は、長手方向に沿って平行に形成された突条１３と係合溝７ａが摺動可能に嵌合されるため、取付部材１０の先端部つまり棚受け嵌合部１１の位置は、嵌め合わせた状態で図１４に示す如く、外ケース７上で取付部材１０を摺動させることにより、その長さ方向に調整することができる。このため、この照明具１は、両側の棚受け３１、３１間のピッチが異なる陳列棚に対して、ある程度の範囲で、適用可能とされる。
【００３０】
上記構成の陳列棚用照明具を組み立てる場合、先ずＬＥＤ灯具２を組み立てるが、ＬＥＤ灯具２は、内ケース５の内部に、ＬＥＤ３とその電源回路となる直流変換回路４ａを実装した回路基板４を、組み付け、内ケース５の両端部に内キャップ６を嵌着する。図７に示すように、電源線２ａは一方の内キャップ６に設けた導出孔から引き出され、電源線２ａの端部にはコネクタ２ｂが接続され、コネクタ２ｂの入力側には、図１１のように、商用電源用のコネクタ２ｃが接続される。コネクタ２ｃの入力側には電源コード２ｄが接続されている。
【００３１】
次に、ＬＥＤ灯具２の外側に外ケース７を覆うように嵌着し、その下面の開口部に、透明アクリル板などからなる透明板７ｂ（図６）を嵌め込み、図８のように、外ケース７の両端部に外キャップ８を嵌着し、照明具１が完成する。ＬＥＤ灯具２用の電源コード２ｄ（コネクタ２ｃに接続されたコード）は、図１１に示すように、外キャップ８のコード挟持部８ｂで挟持され、外キャップ８の下側から引き出される状態となる。
【００３２】
そして、照明具１の両端部に、取付部材１０が嵌着される。取付部材１０は、図８などに示すように、その挟持部１２の１対の挟持片１２ａ，１２ａにより、照明具１の外ケース７の端部を挟むように、端から挿入される。このとき、挟持片１２ａ，１２ａの内側に突設された突条１３が外ケース７の外側面の係合溝７ａに嵌合するように嵌め込まれ、図１などに示す陳列棚用照明具が完成する。このとき、取付部材１０は、照明具１の両端部をその挟持部１２により挟み込み、相対的に照明具１に挟持されることとなるが、図１４のように、照明具１に対し取付部材１０はその長手方向に摺動可能である。このため、実際に装着する陳列棚の棚受け３１，３１間のピッチに合わせて、取付部材１０の突き出し長さ位置を調整する。
【００３３】
取付部材１０の位置を調整された取付部材１０付き照明具１は、図１２，１３に示すように、商品陳列棚の棚受け３１、３１の先端部分に、その取付部材１０の棚受け嵌合部１１を上から嵌め込むように、嵌着する。これにより、陳列棚用照明具は、図１２，１３のように、棚受け３１、３１の先端部に水平に取り付けられ、棚板３２が棚受け３１、３１間上に、水平に取り付けられる。図１２，１３では、棚板３２は、照明具１の隣接位置から、支柱３３までの空間に取り付けられるが、照明具１の上に棚板３２の前縁部を載置するように棚板３２を取り付けることもできる。
【００３４】
なお、図１２，１３では、照明具１を棚受け３１，３１に対し、そのＬＥＤ３の照射光を下方に向けるように取り付けたが、照明具１の両端部に取り付けた取付部材１０、１０を、上記とは上下逆向きに取り付け、ＬＥＤ３の照射光を上方に向けるように取り付けることもできる。つまり、図１０ｂに示すように、取付部材１０の両挟持片１２ａ，１２ａの横断面形状は、その中心軸を軸に点対称形状に形成されており、取付部材１０を、その中心軸を軸に１８０度回転させた状態（上下を反転した状態）でも、取付部材１０を照明具１の両端部に嵌着することができる。
【００３５】
陳列棚の使用時、照明具１のＬＥＤ灯具２が点灯されると、ＬＥＤ灯具２のＬＥＤ３から照射された白色光が照明具１の細い開口部から下方に向けて放射され、下側の棚板３２上の商品を照明する。ＬＥＤ灯具２から照射される白色光はＬＥＤ３の前面から効率良く放射され、高い輝度で下方の棚板上の商品を照明し、陳列品の陳列効果を向上させることができる。また、ＬＥＤ３は同じ輝度の蛍光灯と比べ、その動作電流、電圧共に低いため、消費電力は少なく、陳列棚の照明を経済的に行うことができる。また、上述のように、取付部材１０を照明具１に対し上下反転させて取り付ければ、照明具１のＬＥＤ灯具２は上方を向き、ＬＥＤ３の照射光を上方に向けてアップライトによる照明を行うことができる。
【００３６】
図１５〜図２３は他の実施形態の陳列棚用照明具を示している。この例では、上記取付部材１０に代えてアーム型取付部材２０を使用し、照明具については上記と同様の照明具１をそのまま使用する。つまり、図１５〜図１８に示すように、この陳列棚用照明具は、１対のアーム型取付部材２０により照明具１を、その挟持部２２を照明具１の外ケース７の上方から挟み込むように挟持して支持する構造である。
【００３７】
アーム型取付部材２０は、図２０に示すように、アーム状棚受け嵌合部２１の先端部に、側面視をＣ形とする挟持部２２を設けて形成される。アーム状棚受け嵌合部２１は、側面視を略直角三角形状とした板状に形成される。つまりアーム状棚受け嵌合部２１は、上辺部を水平とし、下辺を傾斜させた略直角三角形状に形成され、上辺部には水平な平坦部２１ｂが形成され、その上に棚板３２を載置するようになっている。また、平坦部２１ｂの先端部に当接部２４が立設され、棚板３２の前縁部を当接部２４に当てる構造としている。
【００３８】
さらに、アーム状棚受け嵌合部２１の内部には、スリット状のスリット溝２１ａが下辺の傾斜面から上方に向けて形成され、下辺の傾斜面と背面が開口し、棚受け３１の先端部をスリット溝２１ａ内に嵌入可能としている。また、アーム状棚受け嵌合部２１の側部には、舌状係止部２５が設けられ、棚受け３１をスリット溝２１ａ内に挿入するように、アーム状棚受け嵌合部２１を棚受け３１に嵌合させたとき、棚受け３１の側部に設けた図示しない係止凹部が舌状係止部２５に係止されるようになっている。また、図２３に示すように、棚受け３１の先端上部に凸部が形成されるが、アーム状棚受け嵌合部２１における平坦部２１ｂの中央部付近には、その凸部が嵌入される矩形穴２１ｃが設けられている（図１９）。
【００３９】
アーム状棚受け嵌合部２１の先端部に一体成形された挟持部２２は、側面視をＣ形とし、側面視を円弧状とした挟持片２２ａ，２２ａが挟持部２２の前後両側に形成され、ばね弾性を持って両側の挟持片２２ａ，２２ａ間を僅かに開口可能としている。そして、図２１に示すように、挟持部２２の内側には、上記の照明具１が挿入可能とされ、挿入された照明具１を前後から（正面と背面から）挟持片２２ａ，２２ａ間で挟み挟持する構造となっている。また、挟持部２２の両挟持片２２ａの内側には、各々複数（２本）の突条２３が左右方向に、つまり挟持される照明具１の長手方向に向けて形成され、挟持部２１が照明具１の外ケース７の外側に嵌め込まれたとき、外ケース７の係合溝７ａに突条２３が嵌合する。
【００４０】
なお、両挟持片２２ａの内側面は、側面視を円弧状に形成され、その円弧に対応して、照明具１の外ケース７の前後両側も円弧状に形成されるので、図２１、２２に示す如く、照明具１をその長手方向に沿った中心軸の回りで回動させ、アーム型取付部材２０に対し照明具１の取付角度を、前後に傾斜可能に取り付けることができる。
【００４１】
上記構成のアーム型取付部材２０を照明具１の両端部近傍に嵌着する場合、その挟持部２２の１対の挟持片２２ａ，２２ａを、照明具１の外ケース７の端部から挿入する。このとき、挟持片２２ａ，２２ａの内側に突設された突条２３を外ケース７の外側面の係合溝７ａに嵌合するように嵌め込み、挟持片２２ａ，２２ａで外ケース７を挟持した挟持部２２を、照明具１に対し軸方向に摺動させるようにする。これにより、図１５などに示すように、照明具１の任意の位置に、アーム型取付部材２０を取り付けることができる。なお、挟持部２２の挟持片２２ａに充分なばね弾性がある場合、挟持部２２を照明具１の端部から差し込む代わりに、照明具１の外ケース７の上側から挟持片２２ａを開口させて弾性変形させながら、挟持部２２を外ケース７の外側に嵌合させて挟持させることもできる。
【００４２】
このように、アーム型取付部材２０は、照明具１の外ケース７の係合溝７ａにその挟持部２２の突条２３を係合させて摺動可能となっているため、実際に装着する陳列棚の棚受け３１，３１間のピッチに合わせて、アーム型取付部材２０の取付位置を任意の位置に摺動させて調整することができる。
【００４３】
アーム型取付部材２０付き照明具１は、図２３に示すように、商品陳列棚の棚受け３１、３１の先端部分に、アーム型取付部材２０のアーム状棚受け嵌合部２１を上から嵌め込むように、つまりスリット溝２１ａ内に棚受け３１の上縁部を挿入するように嵌着する。このとき、舌状係止部２５が図示しない棚受け３１の係合凹部に係止され、所定位置でアーム状棚受け嵌合部２１は嵌着されるが、舌状係止部に代えてナットなどのめねじ穴をアーム状棚受け嵌合部２１の一部に設けておけば、そのめねじ穴に固定ねじをねじ込み、棚受け３１に対しアーム状棚受け嵌合部２１を締付固定することもできる。このような固定ねじを用いて棚受け３１に対しアーム状棚受け嵌合部２１を締付固定する場合、アーム状棚受け嵌合部２１を棚受け３１に対し図２３のような先端位置よりさらに前方に突き出すように取り付けることもできる。
【００４４】
このように、陳列棚用照明具であるアーム型取付部材２０付き照明具１は、棚受け３１、３１の先端部に、簡単に水平状態を保持して取り付けることができ、棚板３２が棚受け３１、３１間上に、水平に取り付けられる。このとき、棚板３２の前部は、図２３に示すように、アーム型取付部材２０の上部の平坦部２１ｂ上に載置され、その前縁部はアーム型取付部材２０の上前端部に立設された当接部２４に当接し、棚板３２の後部の端部と棚受け３１の間には、スペーサ３１ａが取り付けられ、棚板３２は棚受け３１上のアーム型取付部材２０とスペーサ３１ａ上に水平に保持される。
【００４５】
一方、照明具１をその長手方向に沿った中心軸の回りで回動させて、アーム型取付部材２０に対し照明具１の取付角度を前後に変え、傾斜させて取り付ける場合、図２２のように、挟持部２２の内側で照明具１の前部を下に或いは上に変えて取り付ける。上述のように、両側の挟持片２２ａの内側面は、側面視を円弧状に形成され、その円弧に対応して、照明具１の外ケース７の前後両側も円弧状に形成され、複数の係合溝７ａとそれらと係合可能な複数の突条２３が設けられているので、図２２に示す如く、照明具１をその長手方向に沿った中心軸の回りで回動させ、アーム型取付部材２０に対し照明具１の取付角度を、その前部を下に或いは上に変えて取り付けることができる。これにより、図２２のように、照明具１のＬＥＤ３の光照射方向が真下から斜め後方に或いは斜め前方に向けられ、陳列棚の商品の状態に合わせて、照明を行うことができる。
【００４６】
陳列棚の使用時、照明具１のＬＥＤ灯具２が点灯されると、上記と同様に、ＬＥＤ灯具２のＬＥＤ３から照射された白色光が照明具１の細い開口部から下方に向けて放射され、下側の棚板３２上の商品を照明する。ＬＥＤ灯具２から照射される白色光はＬＥＤ３の前面から効率良く放射され、高い輝度で下方の棚板上の商品を照明し、陳列品の陳列効果を向上させることができる。また、ＬＥＤ３は同じ輝度の蛍光灯と比べ、その動作電流、電圧共に低いため、消費電力は少なく、陳列棚の照明を経済的に行うことができる。
【００４７】
なお、図２１〜２３では、照明具１を棚受け３１，３１に対し、そのＬＥＤ３の照射光を下方に向けるように取り付けたが、照明具１の両端部近傍に取り付けたアーム型取付部材２０を、上記とは上下逆向きに取り付け、ＬＥＤ３の照射光を上方に向けるように取り付けることもできる。図２１に示すように、アーム型取付部材２０の両挟持片２２ａ，２２ａの横断面形状は、その中心軸を軸に点対称形状に形成されており、アーム型取付部材２０を、その中心軸を軸に１８０度回転させた状態（上下を反転した状態）でも、アーム型取付部材２０を照明具１の両端部近傍に嵌着することができる。この場合、照明具１のＬＥＤ灯具２は上方に向けられ、ＬＥＤ３の照射光を上方に向けてアップライトによる照明を行うことができる。
【符号の説明】
【００４８】
１      照明具
２      ＬＥＤ灯具
３      ＬＥＤ
４      回路基板
５      内ケース
６      内キャップ
７      外ケース
７ａ    係合溝
８      外キャップ
８ａ    係止爪
８ｂ    コード挟持部
１０    取付部材
１１    棚受け嵌合部
１２    挟持部
１２ａ  挟持片
１３    突条
２０    アーム型取付部材
２１    アーム状棚受け嵌合部
２２    挟持部
２２ａ  挟持片
２３    突条
３１    棚受け
３２    棚板
３３    支柱
【図１】
2010167210.tif 000003
【図２】
2010167210.tif 000004
【図３】
2010167210.tif 000005
【図４】
2010167210.tif 000006
【図５】
2010167210.tif 000007
【図６】
2010167210.tif 000008
【図７】
2010167210.tif 000009
【図８】
2010167210.tif 000010
【図９】
2010167210.tif 000011
【図１０】
2010167210.tif 000012
【図１１】
2010167210.tif 000013
【図１２】
2010167210.tif 000014
【図１３】
2010167210.tif 000015
【図１４】
2010167210.tif 000016
【図１５】
2010167210.tif 000017
【図１６】
2010167210.tif 000018
【図１７】
2010167210.tif 000019
【図１８】
2010167210.tif 000020
【図１９】
2010167210.tif 000021
【図２０】
2010167210.tif 000022
【図２１】
2010167210.tif 000023
【図２２】
2010167210.tif 000024
【図２３】
2010167210.tif 000025